(57)【要約】【課題】高精度に検索を行うことができる公報データの検索方法及び検索装置を提供する。【解決手段】中国意匠公報に記載された書誌項目と図面を含む中国意匠公報データを格納する公報データベース１１と、日本分類及びロカルノ分類との分類の対応データを格納する対比データベース１２とを備え、検索の対象となる日本分類に基づいて、分類情報の入力を受け付け、前記分類入力部に入力された日本分類を前記対比データベースによりロカルノ分類に変換し、前記分類変換部により変換されたロカルノ分類の分類情報を用いて前記公報データベースに格納されている中国意匠公報データを検索し、前記検索された検索案件を抽出して表示する。【選択図】図９Ｄ
2008210313.tif 000002
【特許請求の範囲】
【請求項１】
中国意匠公報に記載された書誌項目と図面を含む中国意匠公報データを格納する公報データベースと、
日本分類及びロカルノ国際意匠分類との分類の対応データを格納する対比データベースと、
検索の対象となる日本分類に基づいて、分類情報の入力を受け付ける分類入力部と、
前記分類入力部に入力された日本分類を前記対比データベースによりロカルノ国際意匠分類に変換する分類変換部と、
前記分類変換部により変換されたロカルノ国際意匠分類の分類情報を用いて前記公報データベースに格納されている中国意匠公報データを検索する検索処理部と、
前記検索された検索案件を抽出して表示する表示処理部とを備えることを特徴とする、公報データの情報検索装置。
【請求項２】
前記分類入力部は、前記入力された日本分類に属する物品名を前記分類変換部の検索結果に基づいて表示し、前記表示された物品名に基づいて該当するロカルノ国際意匠分類の選択を求めることにより、前記分類情報をロカルノ国際意匠分類の分類情報として求めることを特徴とする、請求項１に記載の情報検索装置。
【請求項３】
前記表示処理部は、前記検索された公報データに含まれる案件のうち、２つの項目を基準としたマトリックスに件数を表示する統計表を表示することを特徴とする、請求項１に記載の情報検索装置。
【請求項４】
前記表示制御部は、前記統計表のうち任意の範囲を選択し、当該範囲について予め設定された表示方式へ変更可能に構成されていることを特徴とする請求項３に記載の情報検索装置。
【請求項５】
中国意匠公報に記載された書誌項目と図面を含む中国意匠公報データを格納する公報データベースと、日本分類及びロカルノ国際意匠分類との分類の対応データを格納する対比データベースとを備えた情報検索装置を用いて、中国意匠公報の検索を行う情報検索方法であって、
検索項目として日本分類を入力するステップと、
前記入力された日本分類を前記対比データベースを用いてロカルノ国際意匠分類に変換するステップと、
前記変換されたロカルノ国際意匠分類に基づいて、前記公報データベースを検索し、検索案件を抽出するステップと、
前記抽出された検索案件を任意の２つの項目を軸とするマトリックス表示において、件数表示する統計表を表示するステップとを備えることを特徴とする、情報検索方法。
【請求項６】
前記マトリックス表示により表示される統計表の任意の範囲の選択を受け付け、前記選択された統計表の一部分の中国意匠公報データについて予め設定された表示方式に変換するステップを備えることを特徴とする、請求項５に記載の情報検索方法。
【発明の詳細な説明】
【技術分野】
【０００１】
本発明は、中国意匠公報データの検索方法及び検索装置に関する。
【背景技術】
【０００２】
近年、日本企業にとって中国における意匠権の調査の必要性が増大している。中国意匠権の調査の具体的な調査方法としては、紙で発行された意匠公報（以下、紙公報と略記する。）を１件１件手めくりで内容を確認し、関連する公報を抽出する方法と電子化された意匠公報データ（以下、公報データと略記する。）を機械的に検索し、関連する公報データを抽出する方法の２つがある。
【０００３】
現在主として実施されている調査は、紙公報を用いた調査である。そのために、調査機関は、紙公報を定期的に購入し、かつ保管・管理しているが、この紙公報は一定期間分の登録権利がまとめられて発行（以下、合本という。）されるために、この合本には種々の分野の権利が含まれて膨大な件数・量となっており、保管・管理に多大の労力を要している。
【０００４】
このため、多くの調査機関においては、関連ある意匠公報を複写し、その複写した公報のみを保管することとしている。よって、関連ない他の分野の公報については廃棄、または合本の状態で管理・保管しているため、新規分野の調査を行うために過去発行分に遡及して調査を行うことが非常に困難な状況にある。
【０００５】
中国意匠のみにとどまらず、一般に電子化された知的財産情報を検索管理するシステムに関して、例えば、特許文献１〜３に開示するようなシステムが公知となっている。
【０００６】
特許文献１（特開平１１−２５００９０号公報）には、米国特許分類と国際分類との間で検索式中の書誌情報を置換（段落００１７）したり、検索キーワードとしての英単語（例えばtransmission）を対応する複数の日本語（送信＊伝送＊伝達）に置換（段落００８６）したり、米国特許分類を国際分類に置き換えるなどの処理を行う（段落００８７）ことにより、外国人が簡単に利用することができる情報検索システムが開示されている。
【０００７】
特許文献２（特開２００５−１４１４４５号公報）には、第１国言語表示による出願人名を第２国言語表示による出願人名に置き換えるキーワード変換テーブルを備え、国ごとに異なる同一企業の検索を的確に行うことができる特許情報検索システムが開示されている。
【０００８】
特許文献３（特開２００３−１４１１６８号公報）には、ＷＷＷにより外国語ベースで提供される既存の特許情報検索サービスを母国語表記などを付加して使いやすくしたユーザインターフェースを用いて独自のｗｅｂサービスとして提供することにより特許調査の効率化を図る特許情報検索システムが開示されている。
【特許文献１】特開平１１−２５００９０号公報
【特許文献２】特開２００５−１４１４４５号公報
【特許文献３】特開２００３−１４１１６８号公報
【発明の開示】
【発明が解決しようとする課題】
【０００９】
このように、上記のように困難な状況にあるにもかかわらず、紙公報による調査が行われている。この背景には、現在のところ、上記特許文献に開示されているようなシステムを適用して中国意匠公報データを機械的に検索する方法は、以下の点で調査が十分にできないという種々の問題がある。
【００１０】
まず、日本分類と国際分類との分類体系が異なっていることに基づき、以下の問題がある。すなわち、現在日本において採用されている日本意匠分類（以下日本分類と略記する。）は、物品を基本とした分類体系であるのに対し、国際特許分類及びロカルノ国際意匠分類（以下、ロカルノ分類と略記する。）は機能を基本とする分類体系である。このため、特に物品を特定して行う意匠調査において、ロカルノ分類のみでの検索は調査目的の物品のみに限定された検索結果を得ることは困難である。
【００１１】
例えば、洗濯機と掃除機について日本分類では「Ｃ３５２０（電気洗濯機）」と「Ｃ３４１００（電気掃除機）」と別の分類が付与されているのに対し、ロカルノ分類では、同一の分類「１５−０５（洗濯、清掃及び乾燥用の機械）」が付与されているため、洗濯機に関する意匠調査を行う場合に、ロカルノ分類「１５−０５」で検索し、この検索結果の内容を１件１件確認しながら、洗濯機に関するデータを抽出しなければならない。
【００１２】
また、日本においては独自の意匠分類（日本分類）が採用され、この日本分類を調査時の検索条件として調査を行っているサーチャーにとって、ロカルノ分類は不慣れであり、さらに、中国で採用されている中国語版ロカルノ分類の内容を調査のたびに確認しなければならない。この場合、中国語版ロカルノ分類を日本語に翻訳する必要がある。
【００１３】
さらに、前述したロカルノ分類「１５−０５（洗濯、清掃及び乾燥用の機械）」は中分類の分類定義で、大分類「１５」の分類定義は、（機械、他で明記されていないもの）、であり、この大分類の定義内容では、前記した洗濯機や掃除機がこの分類に含まれるということはロカルノ分類について相当熟知しなければ判断できない。このようにロカルノ分類による検索は非常に使用勝手が悪く、かつ相当な経験が必要であり、中国意匠調査を行う場合の大きな障害となっている。
【００１４】
また、中国公報データは、現在の中国の意匠の出願実務に対するプラクティスによって、１つの物品に対する表記が一定していないという問題がある。すなわち、例えば、時計という一つの物品について、複数の中国語表記がなされており、日本語名での物品名が「時計」の場合、中国公報データでは「手表」、「腕表」、「甲子表」、「甲子手表」、「表」、「表体」、「牢表」のほか、日本語にはない文字で表記されているため、「時計」という物品について全ての意匠権の検索を行うことが実質的に不可能になっているという問題がある。したがって、単に検索キーワードとして日本語による単語を中国語に置き換えるという特許文献１に開示の検索システムでは、十分な調査を行うことができない。また、これらの検索キーワードの変換テーブルを備えておき、これに対応させて１対多または多対１の変換を行うようにすることもできる。しかし、出願数が増えていく状況において、このような変換テーブルを常に最新状態にアップデートしておくことは、実質的に不可能である。
【００１５】
また、同じ出願人についての表記方法も、基本的には音を当てた当て字表記がなされていることが多く、出願を代理する代理人ごとによって表記が異なるという問題がある。よって、出願人を検索キーとしても意匠権の検索を高精度に行うことが不可能であるという問題がある。したがって特許文献２に開示されているように出願人ごとの対応テーブルが完全なものであれば検索の精度は向上するが、出願人の表示は経時により別の代理人から新たな表示で出願されたりするため、完全な対応テーブルを常時確保することは困難である。すなわち、特許文献２に開示されているシステムは、日々刻々と追加されていく同一出願人の別表記に対応する完全な変換テーブルが存在してはじめて機能するものである。しかし、上記の物品名に関する問題と同じように、このような出願人の変換テーブルを常に最新状態にアップデートしておくことは、実質的に不可能である。
【００１６】
また、特許文献３に開示のシステムでは、Ｗｅｂを用いて、他国の特許情報を付加しつつ、検索の精度を高めようとするものであるが、上述の通り、出願人名及び物品名について統一された記載がされていない中国意匠公報の検索においては、何ら検索の精度を高めるものではない。
【００１７】
このように、中国出願においては、公報データを用いて高精度な検索を行うことが実質的に不可能である。よって、現在でも上述のように紙公報による検索が主流とならざるを得ないという問題がある。
【００１８】
したがって、本発明が解決しようとする技術的課題は、高精度に検索を行うことができる公報データの検索方法及び検索装置を提供することである。
【課題を解決するための手段】
【００１９】
本発明は、上記技術的課題を解決するために、以下の構成の情報検索装置を提供する。
【００２０】
本発明の情報検索装置は、中国意匠公報に記載された書誌項目と図面を含む中国意匠公報データを格納する公報データベースと、
日本分類及びロカルノ分類との分類の対応データを格納する対比データベースと、
検索の対象となる日本分類に基づいて、分類情報の入力を受け付ける分類入力部と、
前記分類入力部に入力された日本分類を前記対比データベースによりロカルノ分類に変換する分類変換部と、
前記分類変換部により変換されたロカルノ分類の分類情報を用いて前記公報データベースに格納されている中国意匠公報データを検索する検索処理部と、
前記検索された公報データを抽出して表示する表示処理部とを備えることを特徴とする。
【００２１】
上記構成において、前記分類入力部は、前記入力された日本分類に属する物品名を前記分類変換部の検索結果に基づいて表示し、前記表示された物品名に基づいて該当するロカルノ分類の選択を求めることにより、前記分類情報をロカルノ分類の分類情報として、求めることが好ましい。
【００２２】
また、前記表示処理部は、前記検索された公報データに含まれる案件のうち、２つの項目を基準としたマトリックスに件数を表示する統計表を表示することが好ましい。統計表の具体的な手順としては、まず、一方の項目を基準として検索された案件をソートする。その後、当該ソートされた結果を他方の項目に基づいて分類する。
【００２３】
また、前記表示制御部は、前記統計表のうち任意の範囲を選択し、当該範囲について予め設定された表示方式へ変更可能に構成されていることが好ましい。
【００２４】
さらに本発明は、以下の構成の情報検索方法を提供する。
【００２５】
情報検索方法は、中国意匠公報に記載された書誌項目と図面を含む中国意匠公報データを格納する公報データベースと、日本分類及びロカルノ分類との分類の対応データを格納する対比データベースとを備えた情報検索装置を用いて、中国意匠公報の検索を行う情報検索方法であって、
検索項目として日本分類を入力するステップと、
前記入力された日本分類を前記対比データベースを用いてロカルノ分類に変換するステップと、
前記変換されたロカルノ分類に基づいて、前記公報データベースを検索し、検索案件を抽出するステップと、
前記抽出された検索案件を任意の２つの項目を軸とするマトリックス表示において、件数表示する統計表を表示するステップとを備えることを特徴とする。
【００２６】
上記方法において、前記マトリックス表示により表示される統計表の任意の範囲の選択を受け付け、前記選択された統計表の一部分の中国意匠公報データについて予め設定された表示方式に変換するステップを備えることが好ましい。
【発明の効果】
【００２７】
本件発明によれば、意匠分類を用いて検索を行うため、中国語の表記上の問題に関係なく高精度の検索結果を期待することができる。すなわち、対比データベースとして、日本分類とロカルノ分類との対比データを作成しておけば、日本分類に含まれる物品に基づいて、ロカルノ分類が選択され、検索の精度を向上させることができる。
【００２８】
また、検索された結果を種々の表示方式を用いて表示することができるため、検索結果の確認を容易に行うことができ、また、検索の結果を容易に確認することができる。
【発明を実施するための最良の形態】
【００２９】
以下、本発明の一実施形態に係る情報検索装置及び情報検索方法が適用される中国意匠公報検索システム（以下、検索システムと略記する。）について、図面を参照しながら説明する。
【００３０】
図１は、本発明の実施の形態にかかる中国意匠公報検索システムの全体構成図である。図１に示すようにこの検索システムは、ネットワーク３を介して、情報検索装置２とサーバ１とが接続されている。サーバ１と情報検索装置２はいずれも、汎用のコンピュータなどを用いて構成することができるが、日本語及び中国語の言語サポートがなされていることが前提となっている。
【００３１】
サーバ１は中国意匠の公報データベース１１及び意匠の分類に関する対比データベース１２を格納するサーバである。後述するようにサーバは情報検索装置１による意匠公報検索時に情報検索装置１からのアクセスを受けて、格納されている各種データを情報検索装置１に送信する。
【００３２】
情報検索装置１は、ＣＰＵ２１と、メモリ２２と、ＣＰＵ２１を動作するための検索プログラムなどが格納されたハードディスクドライブ２３と、表示部２４と、キーボードやマウスなどの入力装置２５と、通信インターフェース２６などを有している。本実施の形態においては、情報検索装置１は、公報データベース１１及び対比データベース１２を内部のハードディスク２３に所有しておらず、サーバ１にアクセスして情報を受信するネットワーク型のシステム構成としているが、公報データベース１１及び対比データベース１２をハードディスク２３に格納したスタンドアロン型のシステム構成としても実現することができる。
【００３３】
サーバ１に格納されている中国意匠の公報データベース１１は、中国登録意匠権利公報に関する各種番号や出願人などの書誌的事項、図面、物品名、意匠分類などの情報が格納されているデータベースである。これらの情報は、任意に検索式として用いることで、データベースに含まれている情報を検索し、抽出することができる。
【００３４】
次に本実施形態にかかる検索システムの動作について説明する。図２は、本検索システムを用いて行う公報データの情報検索方法の流れを示すフローチャートである。
【００３５】
本実施形態にかかる検索システムは、ハードディスク２３に格納された検索プログラムが起動して、ＣＰＵ２１がその検索プログラムを実行すると、図２に示す流れにしたがって検索が行われる。
【００３６】
まず、中国登録意匠公報を検索する検索式に日本意匠分類を入力する（＃１）。次いで、入力された日本意匠分類を日本語翻訳した日本語ロカルノ意匠分類に変換する（＃２）。次いで、日本語ロカルノ分類に変換された分類番号から、中国語のロカルノ分類を検索する（＃３）。最後に検索結果を表示する（＃４）。
【００３７】
図３は、本実施形態の検索システムの処理フローである。以下、このような流れによる検索において、システムの画面表示の表示例を示しながら、処理フローを説明する。
【００３８】
図４は、本実施形態の検索システムのユーザ認定画面の表示例である。この画面において、図３のユーザ認証（＃１０）の処理が行われる。この画面は、ＩＤ入力欄４０１，パスワード入力欄４０２、ログインボタン４０３、データ蓄積期間表示欄４０４、お知らせ表示欄４０５が設けられている。データ蓄積期間４０４には、格納されている中国意匠データの期間が示されており、この期間外にかかる公報を検索する場合は、例えば、別の公報データベースに接続し、所望する期間内のものとする。お知らせ表示欄４０５には、本実施形態にかかる検索システムを利用するにあたり注意すべき事項に関する情報がサーバ１を通じて送信され、表示される。
【００３９】
この画面においては、ＩＤの入力欄４０１及びパスワードの入力欄４０２に、利用者ごとに予め定められているＩＤ及びパスワードを入力する。入力後ログインボタン４０３を押下すると、ＩＤ及びパスワードの情報がサーバ１に送信される。ＩＤ及びパスワードは、サーバ内の図示しないユーザデータベースに格納されており、当該データベースを用いてユーザ認証が行われる（＃１１）。サーバ１が受信したＩＤ及びパスワードの情報がユーザデータベースに格納されている情報と一致しない場合、サーバは公報データベース及び対比データベースへのアクセスを拒否する。認証を承認した場合、検索条件入力画面へ移行する。
【００４０】
図５は、検索条件入力画面の画面表示例を示す図である。検索条件入力画面には、申請日入力欄５０１，分類補助入力選択ボタン５０２，物品名補助入力ボタン５０３，検索式入力欄５０４，件数確認ボタン５０５，統計表表示条件指定縦軸入力欄５０６，統計表表示条件指定横軸入力欄５０７、補助入力クリアボタン５０８などが表示されている。
【００４１】
申請日入力欄５０１は、検索の対象となる意匠の申請の日を入力するものであり、当該入力値が後述する検索処理において、検索キーとして用いられる。分類補助入力選択ボタン５０２，物品名補助入力ボタン５０３は、それぞれ検索式としての意匠分類の入力手法を選択するものである。それぞれの入力方式については後述する。検索式入力欄５０４は、検索式を入力する。検索式の入力は後述するように、種々のサポートがなされるようになっている。件数確認ボタン５０５は所定の入力欄に情報を入力したあとで押下すると、検索式入力欄５０４に入力されている検索式がサーバに送信され、検索式に該当する意匠権を選択、検索し、その件数が表示される。件数の表示は、後述する統計表画面に表示される。統計表表示条件指定縦軸入力欄５０６，統計表表示条件指定横軸入力欄５０７は統計表の表示条件を設定するための欄であり、公報データ内のどの項目を統計表の軸とするかを選択するための欄である。
【００４２】
最初に、検索処理の検索式入力の方式として、分類補助入力選択方式について説明する。分類補助入力選択方式は、分類補助入力選択ボタン５０２を押下すると分類補助入力処理が行われ（＃１３）、分類入力画面に切り替わる。
【００４３】
分類入力画面では、個別指定と範囲指定の２つの方法によりロカルノ分類を入力する。個別指定と範囲指定は、それぞれ画面上に設けられている個別指定タブ６１０，範囲指定タブ６１１を選択する。まず、個別指定タブ６１０を選択して、個別指定によりロカルノ分類を入力する方法について説明する。
【００４４】
分類入力画面の個別指定タブ６１０を選択すると、図６Ａに示すような個別指定入力画面が表示される。この画面には、大分類選択欄６０１，ロカルノ名称表示欄６０２，ロカルノ分類指定欄６０３，確定ボタン６０４が設けられている。ロカルノ分類は、２桁の大分類と２桁の中分類とから構成されている分類である。なお、中国で採用されているロカルノ分類には、中分類以下に中国独自の分類コードを設定し、４桁以上のロカルノ国際分類が付与された公報データがあるが、上４桁のみを対象とした検索を行う。
【００４５】
大分類は、大分類選択欄６０１をクリックすることにより、対比データベースに格納されているロカルノ分類の大分類の情報を受信してロカルノ名称表示欄６０２に表示する。利用者はこの表示を参照して、所望の分類を選択することができるようになっている。利用者は、ロカルノ名称表示欄６０２に表示されている大分類の情報を選択する。図６Ａでは、大分類として０３を選択しようとしている状態を一例として示している。
【００４６】
大分類の選択が終了した状態の分類入力画面の画面表示例を図６Ｂに示す。図６Ｂでは、大分類として０３を選択した場合が一例として示されている。ロカルノ大分類を決定することにより、対比データベース１２の情報に基づいて、その中分類の番号及び分類に含まれる物品名がロカルノ分類指定欄６０３に表示される。これらの情報は、対比データベースに格納されている情報を読み出して表示される。利用者は、ロカルノ分類指定欄６０３に表示されている分類のうち、選択したい分類のチェック欄６０５にチェックを入れる。所望の分類にチェックを入力し終わったら、確定ボタン６０４を押下する。
【００４７】
図７は、分類入力画面の個別指定でロカルノ分類指定を完了した状態の分類入力画面の画面表示例である。この画面では、図６Ａ，図６Ｂに示される個別指定入力画面において選択したロカルノ分類が検索式入力欄５０４に表示されている。
【００４８】
次に、範囲指定タブ６１１を選択して、範囲指定によりロカルノ分類を入力する方法について説明する。分類入力画面の範囲指定タブ６１１を選択すると、図８Ａに示すような範囲指定入力画面が表示される。この画面には、開始大分類選択欄８０１，終了大分類選択欄８０２、開始ロカルノ名称表示欄８０３，終了ロカルノ名称表示欄８０６（図８Ｂ参照）、ロカルノ分類指定欄８０４，確定ボタン８０５、範囲指定ボタン８０７が設けられている。
【００４９】
開始範囲に関する大分類は、開始大分類選択欄８０１をクリックすることにより、対比データベースに格納されているロカルノ分類の大分類の情報を受信して開始ロカルノ名称表示欄８０２に表示することにより、選択することができるようになっている。利用者は、開始ロカルノ名称表示欄８０２に表示されている大分類の情報を選択する。図８Ａでは、開始大分類として０３−０１を選択しようとしている状態を一例として示している。
【００５０】
また、同様の処理により終了範囲に関する大分類を終了大分類選択欄８０３，終了ロカルノ名称表示欄８０６を操作して、終了大分類の情報を選択する。この状態で範囲選択ボタン８０７を押下すると、開始分類及び終了分類の選択が終了する。開始分類及び終了分類の選択を終了した状態にある範囲指定入力画面の画面表示例を図８Ｂに示す。図８Ｂでは、開始大分類として０３−０１、終了大分類として０３−９９を選択した場合が一例として示されている。ロカルノ分類の範囲の入力が終了したら、確定ボタン８０５を押下する。確定ボタン８０５を操作することによって、図７に示す分類入力画面と同様の画面が表示される。検索式入力欄５０４には、上記のようにして選択したロカルノ分類が全て表示される。
【００５１】
次に、検索処理の検索式入力の方式として、物品名検索補助入力方式について説明する。物品名検索補助入力方式は、物品名検索補助入力ボタン５０３を押下すると物品名検索補助入力処理が行われ（＃１４）、物品名補助入力画面に切り替わる。
【００５２】
物品名補助入力画面では、日本分類の大項目、中項目、小項目をそれぞれ選択しながら日本分類の物品名を特定する。日本分類は、Ａ〜Ｎまでの大分類、それぞれの大分類ごとに複数の中分類、それぞれの中分類ごとに複数の小分類がそれぞれ設けられている。対比データベースでは、小分類に属する物品に対してロカルノ分類の分類と対比されるようになっている。日本分類では、物品の種類の抽象度に応じて大、中、小項目にそれぞれ分類されている一方、ロカルノ分類は、物品の機能の抽象度に応じて分類分けがされている。よって、両者は分類の観点が異なる。その結果、１つの日本分類は、必ずしも１つのロカルノ分類に対応しているわけではなく、１対多、または多対１にそれぞれ対応する。一例としては日本分類では別に分類される洗濯機と掃除機は、ロカルノ分類では同じ分類に該当する。
【００５３】
物品名補助入力画面には、大分類選択欄９０１，大分類物品名表示欄９０４，中分類選択欄９０２，中分類物品名表示欄９０５，小分類選択欄９０３，小分類物品名表示欄９０６，ロカルノ分類表示欄９０７，選択ボタン９０８が設けられている。物品名の選択は、まず、大分類選択欄９０１をクリックすることにより、対比データベースに格納されている日本分類の大分類の情報を受信して大分類物品名表示欄９０４に表示する。利用者はこの表示を参照して、日本分類の大分類の情報を選択する。図９Ａでは、大分類として、Ｃ  生活用品を選択しようとしている状態を一例として示している。
【００５４】
大分類の選択が終了した状態の分類入力画面の画面表示例を図９Ｂに示す。図９Ｂでは、大分類としてＣを選択した場合が一例として示されている。大分類を決定した状態で中分類選択欄９０２をクリックすることにより、対比データベースが参照されて、当該大分類に含まれる中分類の情報が中分類物品名表示欄９０５に表示される。利用者はこの表示を参照して、日本分類の中分類の情報を選択する。図９Ｂは、中分類として、Ｃ２  室内装飾品を選択しようとしている状態を一例として示している。
【００５５】
中分類の選択が終了した状態の分類入力画面の画面表示例を図９Ｃに示す。図９Ｃでは、中分類としてＣ２を選択した場合が一例として示されている。中分類を決定した状態で小分類選択欄９０３をクリックすることにより、対比データベースが参照されて、当該中分類に含まれる小分類の情報が小分類物品名表示欄９０６に表示される。利用者はこの表示を参照して、日本分類の小分類の情報を選択する。図９Ｃは、小分類として、Ｃ２０  その他の室内装飾品を選択しようとしている状態を一例として示している。
【００５６】
小分類の選択が終了した状態の分類入力画面の画面表示例を図９Ｄに示す。図９Ｄでは、小分類としてＣ  ２０を選択した場合が一例として示されている。小分類までを決定することにより、その日本分類に含まれるロカルノ分類の分類番号及び分類の物品名がロカルノ分類表示欄９０７に表示される。これらの情報は、対比データベースに格納されている情報に基づいて、分類間の対比を行うことにより特定された結果が表示される。利用者は、ロカルノ分類表示欄９０７に表示されている分類の内、選択したい分類のチェック欄９０９にチェックを入れる。所望の分類にチェックを入力し終わったら、確定ボタン９０８を押下する。確定ボタン９０８を操作することによって、図７に示す分類入力画面と同様の画面が表示される。検索式入力欄５０４には、上記のようにして決定されたロカルノ分類が全て表示される。
【００５７】
検索式の入力が終了すると、検索条件入力画面の件数確認ボタン５０５を押下する。すると、この情報がサーバに送られて公報データベースが検索され（＃１５）、検索条件に一致した公報の検索回答件数（符号５１０参照）が表示される（＃１６）。図１０は、検索件数表示が終了した検索条件入力画面の画面表示例を示す図である。
【００５８】
次に、検索結果の表示設定を行う。本実施形態においては、Ｘ軸、Ｙ軸に任意の書誌的事項項目を選択し、当該項目別に２次元の表を作成するように表示をすることができるようになっている。この表示指示（＃１７）を行う手順について説明する。
【００５９】
検索回答件数の表示が行われた検索条件入力画面において、統計表表示条件指定縦軸入力欄５０６及び統計表表示条件指定横軸入力欄５０７を適宜選択することによって、検索回答件数に示された検索結果を任意の項目ごとに分類して表示することができる。具体的には、図１１Ａに示すように、統計表表示条件指定縦軸入力欄５０６をクリックすることにより、分類可能な項目のプルダウンメニューが表示される。利用者は、希望する項目を選択する。図１１Ａにおいては、縦軸項目として発明者（出願人を示すものである。）を選択した場合について示している。同様に、統計表表示条件指定横軸入力欄５０７においても項目の選択を行う。図１１Ｂは、検索条件入力画面において、統計表表示条件指定縦軸入力欄５０６及び統計表表示条件指定横軸入力欄５０７の項目の選択が終了した状態を示す画面表示例である。図１１Ｂでは、統計表表示条件指定縦軸入力欄５０６として発明者、統計表表示条件指定横軸入力欄５０７として公告日の項目が選択された状態である。
【００６０】
この状態において、投票表示ボタン５０８を押下することで、統計表画面に移行する。統計表画面の画面表示例を図１２Ａに示す。統計表表示画面が表示されている場合、情報検索装置２には、公報データの具体的な情報は格納されておらず、後述する統計表作成処理において、サーバ１にアクセスして情報を取得する。統計表画面では、検索入力画面で指定した統計表表示条件指定縦軸入力欄５０６及び統計表表示条件指定横軸入力欄５０７の項目順に検索結果が表示される。具体的には、図１２Ａの例では、縦軸に発明者、横軸に公告日をとって、それぞれのマトリクスに該当件数が表示される。
【００６１】
統計表画面では、先に特定された項目のうち、統計表表示条件指定縦軸入力欄５０６の項目別に検索された情報をソートする。このときのソートは、単純に公報データベースに格納されている情報にしたがって行えばよい。その後、統計表表示条件指定縦軸入力欄５０６の項目のソートが完了すると、再度、ソートされた案件に基づいて、統計表表示条件指定横軸入力欄５０７の項目順にその項目の入力値に応じて横軸を作成する。その後、該当するマトリックスに含まれる公報データの件数をカウントする。
【００６２】
以上のようにして作成された統計表画面には、データ出力ボタン１２０１，戻るボタン１２０２，検索画面ボタン１２０３、統計表ボタン１０２４，一覧ボタン１２０５、イメージリストボタン１２０６，案件内容ボタン１２０７，統計表１２０８が表示されている。データ出力ボタン１２０１は、サーバに格納されている検索結果の公報データを情報検索装置２に出力するためのボタンであり、このボタンを操作することにより、情報を公報データベースより取り出すことができる。
【００６３】
戻るボタンは１２０２は１つ前の画面に戻るためのボタンであり、押下することで検索結果の件数を示した状態の検索条件入力画面に戻る。検索画面ボタン１２０３は、検索条件入力画面に戻るためのボタンであり、検索条件などが全て消去され、新規に検索を行う場合に用いられる。検索画面ボタン１２０３を押下することにより、図５に示す検索条件入力画面に戻る。統計表ボタン１０２４は、後述する統計表の表示方式を元の状態に戻すためのボタンである。統計表の表示方式については後述する。一覧ボタン１２０５は、案件の表示方式指示において書誌一覧表示を行うためのボタンである。イメージリストボタン１２０６は、案件の表示方式指示においてイメージリスト表示を行うためのボタンである。案件内容ボタン１２０７は、案件の表示方式指示において案件表示を行うためのボタンである。
【００６４】
次に、統計表の表示方式について説明する。統計表の表示方式を指示（＃１９）する場合、統計表画面の統計表１２０８の全体について表示方式を選択することもできるし、特定の範囲についてのみ表示方式を選択することもできる。図１２Ｂは統計表の特定の範囲を選択する場合の統計表画面の画面表示例を示す図である。統計表画面に表示されている統計表１２０８は、マウスなどの操作により、特定の範囲１２０９のみを選択することができる。この状態で、表示方式を選択指示することにより、特定の範囲についてのみに対応して表示方式を変更することができる。
【００６５】
本実施形態において採用されている統計表の表示方式は、下記に示すように、一覧表示、イメージリスト表示、案件内容表示である。これらの表示形式は、予め検索プログラム内に表示形式のフォーマットが格納されており、当該フォーマットに、検索案件の全部または一部の情報として記憶されている書誌的事項及び図面データを表示することにより作成される。この作成処理は、検索プログラムによって行われる。
【００６６】
まず、一覧ボタン１２０５を押下して検索結果一覧表示を行わせる処理について説明する。一覧ボタン１２０５を押下する（＃２０）ことにより、一覧表示画面に移行する（＃２１）。図１３は一覧表示画面の画面表示例である。一覧表示画面では、統計表に反映されている検索案件の一覧１０３１が示される。なお、一覧表示画面に設けられているそれぞれのデータ出力ボタン１２０１，戻るボタン１２０２，検索画面ボタン１２０３、統計表ボタン１０２４，一覧ボタン１２０５、イメージリストボタン１２０６，案件内容ボタン１２０７，統計表１２０８は統計表画面に示されているボタンの機能と同じであるため、説明を省略する。このように、一覧表示画面から移行する各表示形式において、操作ボタンを共通化することにより、任意の表示形式から別の表示形式へ簡単に移行することができ、より調査のニーズに沿った表示スタイルを選択することができる。
【００６７】
一覧表示画面に設けられているチェックボックス１３０２は、さらに一覧表示画面に表示されている検索案件を別の表示方式で表示させたい場合などにチェックすることができる。このチェックボックス１３０２にチェックを入れた状態で、上記の通り、画面に表示されているボタンを操作することで別の表示形式へ移行することができる。なお、チェックボックス１３０２のチェックは、全選択ボタン１３０３，全解除ボタン１３０４で一度に行うことができる。
【００６８】
次に、イメージリストボタン１２０６を押下してイメージリスト表示を行わせる処理について説明する。イメージリストボタン１２０６を押下する（＃２２）ことにより、イメージリスト画面に移行する（＃２３）。図１４は、イメージリスト画面の画面表示例である。イメージリスト画面では、検索案件のそれぞれについて、書誌的事項と代表図とが併記された状態で表示される。イメージリスト画面に設けられているチェックボックス１４０２は、一覧表示画面での説明と同様の機能を有し、チェックを入れた状態で、上記の通り、画面に表示されているボタンを操作することで別の表示形式へ移行することができる。
【００６９】
次に案件内容ボタン１２０７を押下して案件内容表示を行わせる処理について説明する。案件内容ボタン１２０７を押下する（＃２４）ことにより、案件内容画面に移行する（＃２３）。図１５は、案件内容画面の画面表示例である。案件内容画面では、検索案件のそれぞれについて全図面１５０１と書誌的事項１５０２が表示される。
【００７０】
以上説明したように、本実施形態の検索システムによれば、日本分類またはロカルノ分類により意匠公報を検索することにより、中国語の表記上の問題に関係なく高精度の検索結果を期待することができる。また、調査のポイントとなる任意の２つの項目について、マトリックス状の統計表を用いてに検索結果を示すことができる。さらに、当該統計表の全部または任意の一部分について種々の表示方式に変更することができることから、検索結果の確認を容易に行うことができる。
【００７１】
なお、本発明は上記実施形態に限定されるものではなく、その他種々の態様で実施可能である。例えば、統計表の作成において、上記実施形態では、２軸により任意の２つの項目により作成したが、例えば、３軸による統計表を作成してもよい。そして、この場合、適宜表示上の統計表に反映される項目として、３軸のうち２つを選択することができるようにすることが好ましい。
【図面の簡単な説明】
【００７２】
【図１】本発明の実施の形態にかかる中国意匠公報検索システムの全体構成図である。
【図２】本検索システムを用いて行う公報データの情報検索方法の流れを示すフローチャートである。
【図３】本実施形態の検索システムの処理フロー図である。
【図４】本実施形態の検索システムのユーザ認定画面の表示例を示す図である。
【図５】検索条件入力画面の画面表示例を示す図である。
【図６Ａ】個別指定入力画面の画面表示例を示す図である。
【図６Ｂ】大分類の選択が終了した状態の分類入力画面の画面表示例を示す図である。
【図７】分類入力画面の個別指定でロカルノ分類指定を完了した状態の分類入力画面の画面表示例を示す図である。
【図８Ａ】範囲指定入力画面の画面表示例を示す図である。
【図８Ｂ】開始分類及び終了分類の選択を終了した状態にある範囲指定入力画面の画面表示例を示す図である。
【図９Ａ】物品名補助入力画面の画面表示例を示す図である。
【図９Ｂ】大分類の選択が終了した状態の分類入力画面の画面表示例を示す図である。
【図９Ｃ】中分類の選択が終了した状態の分類入力画面の画面表示例を示す図である。
【図９Ｄ】小分類の選択が終了した状態の分類入力画面の画面表示例を示す図である。
【図１０】検索件数表示が終了した検索条件入力画面の画面表示例を示す図である。
【図１１Ａ】検索条件入力画面において、統計表表示条件指定縦軸入力欄の項目の選択している状態を示す画面表示例を示す図である。
【図１１Ｂ】検索条件入力画面において、統計表表示条件指定縦軸入力欄及び統計表表示条件指定横軸入力欄の項目の選択が終了した状態を示す画面表示例を示す図である。
【図１２Ａ】統計表画面の画面表示例を示す図である。
【図１２Ｂ】統計表の特定の範囲を選択する場合の統計表画面の画面表示例を示す図である。
【図１３】一覧表示画面の画面表示例を示す図である。
【図１４】イメージリスト画面の画面表示例を示す図である。
【図１５】案件内容画面の画面表示例を示す図である。
【符号の説明】
【００７３】
１  サーバ
２  情報検索装置
３  ネットワーク
【図１】
2008210313.tif 000003
【図２】
2008210313.tif 000004
【図３】
2008210313.tif 000005
【図４】
2008210313.tif 000006
【図５】
2008210313.tif 000007
【図６Ａ】
2008210313.tif 000008
【図６Ｂ】
2008210313.tif 000009
【図７】
2008210313.tif 000010
【図８Ａ】
2008210313.tif 000011
【図８Ｂ】
2008210313.tif 000012
【図９Ａ】
2008210313.tif 000013
【図９Ｂ】
2008210313.tif 000014
【図９Ｃ】
2008210313.tif 000015
【図９Ｄ】
2008210313.tif 000016
【図１０】
2008210313.tif 000017
【図１１Ａ】
2008210313.tif 000018
【図１１Ｂ】
2008210313.tif 000019
【図１２Ａ】
2008210313.tif 000020
【図１２Ｂ】
2008210313.tif 000021
【図１３】
2008210313.tif 000022
【図１４】
2008210313.tif 000023
【図１５】
2008210313.tif 000024